(57)【要約】【課題】輻射暖房のための輻射熱量を増加できる暖房装置を提供する。【解決手段】    下皿２と、背面及び左右の側面を覆う側板３と、前面下部の前板４と、上面の天板５とによって形成された枠体１と、該枠体１内部を上下に分ける覆板１５と、該覆板の上部に載置される燃焼筒と、該燃焼筒６の周りを囲うように設けられ、前記覆板と一体化された輻射板１４とを備えた石油ストーブに於いて、前記輻射板１４の燃焼筒６の真後ろの下端に輻射板通気口２７を形成すると共に、側板３の背面で前記輻射板通気口２７の真後ろの位置に背面通気口２８を形成したので、地震等により前方又は後方に転倒しても、燃焼筒６が外れて上方が露出した芯案内筒２５の上部を空気がスムーズに流れ、灯芯１２に炎が残っていても吹き消すようにして消火し、消火時間を短くすることができる。【選択図】図４
2020094733.tif 000002
【特許請求の範囲】
【請求項１】
下皿と、背面及び左右の側面を覆う側板と、前面下部の前板と、上面の天板とによって形成された枠体と、該枠体内部を上下に分ける覆板と、該覆板の上部に載置される燃焼筒と、該燃焼筒の周りを囲うように設けられ、前記覆板と一体化された輻射板とを備えた石油ストーブに於いて、前記輻射板の燃焼筒の真後ろの下端に輻射板通気口を形成すると共に、側板の背面で前記輻射板通気口の真後ろの位置に背面通気口を形成したことを特徴とする石油ストーブ。
【請求項２】
前記輻射板通気口及び前記背面通気口は、横長に形成したことを特徴とする請求項１記載の石油ストーブ。
【請求項３】
前記背面通気口は前記輻射板通気口よりも大きく形成したことを特徴とする請求項１又は請求項２記載の石油ストーブ。
【発明の詳細な説明】
【技術分野】
【０００１】
この発明は、芯上下式の石油ストーブに関するものである。
【背景技術】
【０００２】
従来この種のものでは、燃焼中に転倒した場合、消火する構造となっている。
例えば、本体背面で下面反射板より低い位置に開口を設け、更に本体が前方に転倒したときに前記開口を開成する開閉板を設けたことで、本体が前方に転倒して開口が開成されると芯外筒上端部と外気との間に上下に連通する通路が作られ、激しい空気の移動と共に消火を促進するものがあった。（例えば、特許文献１参照）
【先行技術文献】
【特許文献】
【０００３】
【特許文献１】実開昭６０−１１１８６４号公報
【発明の概要】
【発明が解決しようとする課題】
【０００４】
ところでこの従来のものは、燃焼筒と該燃焼筒が収納される下面反射板の開口部との間に隙間を大きく形成し、本体が前方に転倒したときに燃焼筒が芯外筒から外れると、芯外筒上端部と外気との間に上下に連通する通路が確実に作られ、激しい空気の移動が生じるが、燃焼筒と該燃焼筒が収納される下面反射板の開口部との間の隙間が小さなものでは、本体が前方に転倒したときに燃焼筒が芯外筒からうまく外れなかった場合、芯外筒上端部と外気との間に上下に連通する通路が充分作られず、激しい空気の移動が生じずに消火が促進されないことがあった。
【０００５】
又、本体が後方に転倒したときは、本体背面に設けた開口が開閉板により閉鎖されたままとなるので、開口から芯外筒上端部に向かう通路が作られず、激しい空気の移動が生じずに消火が促進されないものであった。
【課題を解決するための手段】
【０００６】
本発明は上記課題を解決するために、請求項１では、下皿と、背面及び左右の側面を覆う側板と、前面下部の前板と、上面の天板とによって形成された枠体と、該枠体内部を上下に分ける覆板と、該覆板の上部に載置される燃焼筒と、該燃焼筒の周りを囲うように設けられ、前記覆板と一体化された輻射板とを備えた石油ストーブに於いて、前記輻射板の燃焼筒の真後ろの下端に輻射板通気口を形成すると共に、側板の背面で前記輻射板通気口の真後ろの位置に背面通気口を形成したものである。
【０００７】
また、請求項２では、前記請求項１に於いて、前記輻射板通気口及び前記背面通気口は、横長に形成したものである。
【０００８】
また、請求項３では、前記請求項１又は請求項２に於いて、前記背面通気口は前記輻射板通気口よりも大きく形成したものである。
【発明の効果】
【０００９】
この発明の請求項１によれば、前記輻射板の燃焼筒の真後ろの下端部分には、輻射板通気口が形成されていると共に、前記側板の背面で輻射板の輻射板通気口と同じ高さで輻射板通気口の真後ろの位置に背面通気口が形成したので、地震等により前方又は後方に転倒しても、燃焼筒が外れて上方が露出した芯案内筒の上部を空気がスムーズに流れ、灯芯に炎が残っていても吹き消すようにして消火し、消火時間を短くすることができるものである。
【００１０】
また、請求項２によれば、前記輻射板通気口及び前記背面通気口は、横長に形成したので、本体が後方に転倒したときに、外れた燃焼筒により前記輻射板通気口が全て塞がれてしまいにくくできるとともに、仮に燃焼筒により前記輻射板通気口の一部が塞がれたとしても、前記背面通気口も横長に形成したので、本体が後方に転倒したときに、前記背面通気口から前記輻射板通気口の開口している部分に空気が流れ、灯芯に炎が残っていても吹き消すように上方が露出した芯案内筒の上部を空気が流れて、後方に転倒した際の消火時間を短くすることができるものである。
【００１１】
また、請求項３によれば、前記背面通気口は前記輻射板通気口よりも大きく形成したので、後方に転倒するときにより多くの空気を背面通気口から取り込み、灯芯に炎が残っていても吹き消すように上方が露出した芯案内筒の上部を空気が流れるので、後方に転倒した際の消火時間を短くすることができるものである。
【図面の簡単な説明】
【００１２】
【図１】この発明の一実施形態を示す石油ストーブの正面図。
【図２】同側面図。
【図３】同枠体等の分解斜視図。
【図４】同要部断面図。
【図５】同要部平面図。
【発明を実施するための形態】
【００１３】
次に、本発明に係る発明の１実施形態を図面に基づいて説明する。
１は芯上下式石油ストーブの枠体で、底面の下皿２と背面及び左右の側面を覆う側板３と前面下部の前板４と上面の天板５によって長方形状の筐体を形成し、内部に燃油を燃焼する燃焼筒６等を備え、前面中央から上部の開口部７から赤熱した前記燃焼筒６によって輻射熱を放出し、前記天板５中央の多数の長穴８より燃焼筒６の熱気を上方に放出して室内を暖房するものである。
【００１４】
９は前記天板５の右端部に設けたタンク装着口（図示せず）を覆うタンク蓋で、燃油供給の際に開口してカートリッジタンク１０の着脱を行うものである。
１１は前面中央やや下部に設けた芯上下ハンドルで、回動によって内部の灯芯１２の上下動を行うものである。
１３は燃焼時に地震等により本体が揺れたとき、前記灯芯１２が素早く下降して瞬時に消火動作を行う対震消火装置である。
【００１５】
１４は前方向に燃焼筒６の輻射熱を反射するための輻射板で、略円弧状に形成され、前記開口部７を除く燃燃焼筒６の周りを囲うように設けられているものである。
１５は前記輻射板１４と一体化された覆板で、枠体１内部を上下に分けるもので、略中央には前記燃焼筒６を配置するための燃焼筒用孔１６が形成されているものである。
１７はガード枠で、多数の金属棒で構成され、開口部７を保護するものである。
【００１６】
前記下皿２上の枠体１内部には燃油を貯える燃料タンク１８がネジ等（図示せず）によって固定されている。
この燃料タンク１８の左側には燃焼部１９が設けられ、又、燃料タンク１８の上面右端には前記カートリッジタンク１０の先端部分が装着される円形の給油口２０が設けられ、この給油口２０にはカップ状の底面中央から金属のピンが立設し、側面には燃油を通過する穴を備えた燃油受２１にて給油口２０を覆っているものである。
【００１７】
前記燃油受２０の上方には縦長方形の前記カートリッジタンク１０が備えられ、このカートリッジタンク１０の底面には中央に弁体（図示せず）を形成した口金２２が螺合され、上面には持ち運び用の取手２３を備えている。
また前記燃油受２１にカートリッジタンク１０の口金２２をセットすることにより、前記ピンが弁体を押し上げて、カートリッジタンク１０内の燃油が燃油受２１から燃料タンク１８内に流れ込むものである。
【００１８】
２４は前記燃料タンク１８の燃焼部１９中央に立設された芯案内パイプで、この芯案内パイプ２４の周囲に沿って芯止め金具（図示せず）で上下動自在に前記灯芯１２が設けられているものである。
【００１９】
２５は前記灯芯１２と芯案内パイプ２４の周囲を覆う芯案内筒で、この芯案内筒２５と芯案内パイプ２４の上端には中空円板状の火皿部２６が設けられ、該火皿部２６に前記燃焼筒６が載置され灯芯１２によって燃料タンク１８から吸い上げた燃油を芯案内パイプ２４と芯案内筒２５との隙間にて蒸発させ燃焼筒６内で燃焼するものである。
【００２０】
前記輻射板１４の燃焼筒６の真後ろの下端部分には、横長の輻射板通気口２７が形成されていると共に、前記側板３の背面で輻射板１４の輻射板通気口２７と同じ高さで輻射板通気口２７の真後ろの位置に、前記輻射板通気口２７よりも更に横長の背面通気口２８が形成されているものである。
【００２１】
次にこの一実施例の作動について説明する。
燃焼状態で地震等により前方に転倒したとき、対震消火装置１３が作動して前記灯芯１２が素早く下降して瞬時に消火動作を行う。
その際、転倒する勢いで燃焼筒６が火皿部２６から外れ、芯案内筒２５の上方が露出する。
【００２２】
又、転倒する勢いで開口部７から輻射板１４の燃焼筒６の真後ろの下端部分の輻射板通気口２７に向かって空気の流れが発生し、上方が露出した芯案内筒２５の上部を通過して輻射板通気口２７から前記側板３の背面の背面通気口２８へと空気がスムーズに流れ、灯芯１２に炎が残っていても吹き消すようにして消火するものである。
【００２３】
このように、本体内部を上下に分ける覆板１５よりも上の位置で、輻射板１４の燃焼筒６の真後ろの下端部分に輻射板通気口２７を設け、更に側板３の背面で輻射板１４の輻射板通気口２７と同じ高さで輻射板通気口２７の真後ろの位置に背面通気口２８を設けたので、前方に転倒した際に灯芯１２に炎が残っていても、開口部７から輻射板通気口２７に向かって、吹き消すように上方が露出した芯案内筒２５の上部を空気が流れるので、前方に転倒した際の消火時間を短くすることができるものである。
【００２４】
次に燃焼状態で地震等により後方に転倒したとき、対震消火装置１３が作動して前記灯芯１２が素早く下降して瞬時に消火動作を行う。
その際、転倒する勢いで燃焼筒６が火皿部２６から外れ、芯案内筒２５の上方が露出する。
【００２５】
又、転倒する勢いで前記側板３の背面の背面通気口２８から輻射板１４の燃焼筒６の真後ろの下端部分の輻射板通気口２７に向かって空気の流れが発生し、上方が露出した芯案内筒２５の上部を通過して開口部７へと空気がスムーズに流れ、灯芯１２に炎が残っていても吹き消すようにして消火するものである。
【００２６】
この燃焼状態で地震等により後方に転倒したときに、転倒する勢いで燃焼筒６が火皿部２６から外れてそれが前記輻射板通気口２７を塞ぐようになっても、前記輻射板通気口２７を横長に形成したので、本体が後方に転倒したときに、外れた燃焼筒６により前記輻射板通気口２７が全て塞がれてしまいにくくできるものである。
【００２７】
又、仮に燃焼筒６により前記輻射板通気口２７の一部が塞がれたとしても、前記背面通気口２８も横長に形成したので、本体が後方に転倒したときに、前記背面通気口２８から前記輻射板通気口２７の開口している部分に空気が流れ、灯芯１２に炎が残っていても吹き消すように上方が露出した芯案内筒２５の上部を空気が流れて、後方に転倒した際の消火時間を短くすることができるものである。
【００２８】
又、前記輻射板通気口２７よりも背面通気口２８を横長に大きく形成しているので、後方に転倒するときにより多くの空気を背面通気口２８から取り込むので、その取り込んだ空気を確実に輻射板通気口２７に流入することができるものである。
【００２９】
このように、本体内部を上下に分ける覆板１５よりも上の位置で、輻射板１４の燃焼筒６の真後ろの下端部分に輻射板通気口２７を設け、更に側板３の背面で輻射板１４の輻射板通気口２７と同じ高さで輻射板通気口２７の真後ろの位置に背面通気口２８を設けたので、後方に転倒した際により多くの空気を背面通気口２８から取り込み、灯芯１２に炎が残っていても吹き消すように上方が露出した芯案内筒２５の上部を空気が流れるので、後方に転倒した際の消火時間を短くすることができるものである。
【００３０】
以上のように本体内部を上下に分ける覆板１５よりも上の位置で、輻射板１４の燃焼筒６の真後ろの下端部分に輻射板通気口２７を設け、更に側板３の背面で輻射板１４の輻射板通気口２７と同じ高さで輻射板通気口２７の真後ろの位置に背面通気口２８を設けたので、地震等により前方又は後方に転倒しても、燃焼筒６が外れて上方が露出した芯案内筒２５の上部を空気がスムーズに流れ、灯芯１２に炎が残っていても吹き消すようにして消火し、消火時間を短くすることができるものである。
【００３１】
尚、本実施例では前記輻射板通気口２７よりも背面通気口２８を横長に大きく形成して後方に転倒した時の消火をより短縮するようにしたがこれに限定されず、前方に転倒したときの消火をより短縮するのであれば、背面通気口２８に対して輻射板通気口２７を大きく設けて、前面から流入する空気を多くするようにして消火時間を短縮するようにしてもよく、又、前方及び後方のどちらの転倒にも同じように作用するように輻射板通気口２７と背面通気口２８とを同じ大きさ、形状としてもよいものである。
【符号の説明】
【００３２】
１  枠体
２  下皿
３  側板
４  前板
５  天板
６  燃焼筒
１４  輻射板
１５  覆板
２７  輻射板通気口
２８  背面通気口
【図１】
2020094733.tif 000003
【図２】
2020094733.tif 000004
【図３】
2020094733.tif 000005
【図４】
2020094733.tif 000006
【図５】
2020094733.tif 000007